(57)【要約】本発明は、マツノザイセンチュウの媒介虫であるマツノマダラカミキリとカラフトヒゲナガカミキリを誘引するための誘引用組成物を含むトラップを一定の間隔で網状に設置し、誘引されたマツノマダラカミキリとカラフトヒゲナガカミキリをトラップ内に捕獲することによってマツノザイセンチュウを防除する方法に関し、活発な飛散移動性を示さないマツノマダラカミキリとカラフトヒゲナガカミキリの生理的、生態的及び行動的特性に基づいて防除地域に網状のトラップシステムを形成し、全世代期間のマツノマダラカミキリとカラフトヒゲナガカミキリを持続的及び効果的に捕獲することができ、マツノマダラカミキリとカラフトヒゲナガカミキリによって媒介されるマツノザイセンチュウによる被害を防除することができ、被害の発生有無を予察することができる。【選択図】図１
2016531592.tif 000002
【特許請求の範囲】
【請求項１】
２‐（ウンデシルオキシ）‐１‐エタノール、α‐ピネン及びエタノールが充填された高分子素材のパウチを備えたトラップを防除対象地域に一定の間隔で網状に設置し、
前記パウチは、内部に綿が充填されたポリエチレン管（ｓｔｒａｗ  ｐｏｌｙｅｔｈｙｌｅｎｅ  ｆｉｌｔｅｒ  ｔｕｂｅ）を含む３重構造であり、前記２‐（ウンデシルオキシ）‐１‐エタノールは前記ポリエチレン管に充填され、前記α‐ピネンは、熱可塑性ポリウレタン（ＴＰＵ）素材のパウチ内に充填されることを特徴とする、マツノマダラカミキリとカラフトヒゲナガカミキリの発生予察または大量捕獲によるマツ材線虫病の防除方法。
【請求項２】
前記パウチは、１０ｍｇ〜１０００ｍｇの２‐（ウンデシルオキシ）‐１‐エタノール、１ｇ〜４００ｇのα‐ピネン及び１ｇ〜４００ｇのエタノールを含むことを特徴とする、請求項１に記載の防除方法。
【請求項３】
前記パウチは、（±）‐３‐カレン、イプセノール、イプスジエノール、ｎ‐ペンタコサン及びｎ‐ノナコサンから選ばれたいずれか一つ以上をさらに含むことを特徴とする、請求項１に記載の防除方法。
【請求項４】
前記パウチは、（±）‐３‐カレンは１ｇ〜４００ｇ、イプセノールは１０ｍｇ〜３，０００ｍｇ、イプスジエノールは１０ｍｇ〜３，０００ｍｇ、ｎ‐ペンタコサンは０．１ｍｇ〜１０ｍｇ、ｎ‐ノナコサンは０．１ｍｇ〜１０ｍｇで含むことを特徴とする、請求項３に記載の防除方法。
【請求項５】
前記パウチは、前記トラップの外部または内部に設置されることを特徴とする、請求項１に記載の防除方法。
【請求項６】
前記トラップは、５個〜１０個の漏斗トラップを垂直に連結した連続漏斗トラップ（ｍｕｌｔｉ  ｆｕｎｎｅｌ  ｔｒａｐ）であることを特徴とする、請求項１に記載の防除方法。
【請求項７】
前記トラップの最下端には、マツノマダラカミキリとカラフトヒゲナガカミキリを捕獲する捕獲桶が連結され、最上端には蓋が備えられ、前記漏斗トラップの上部直径は２０ｃｍ〜３０ｃｍで、下部直径は７ｃｍ〜１４ｃｍであることを特徴とする、請求項６に記載の防除方法。
【請求項８】
前記捕獲桶は、内部に脱出防止用漏斗を含み、前記脱出防止用漏斗は、壁面と漏斗との角度が４５度以下で、漏斗の長さは６ｃｍ以上であることを特徴とする、請求項７に記載の防除方法。
【請求項９】
前記防除対象地域は、下記のａ）〜ｃ）のうちいずれか一つであって、マツノマダラカミキリ及びカラフトヒゲナガカミキリの常時的な発生監視を通じてマツ材線虫病を防除することを特徴とする、請求項１〜８のいずれか１項に記載の防除方法。
ａ）マツ材線虫病未発生地域内の針葉樹林
ｂ）マツ材線虫病が退治された清浄地域内の針葉樹林
ｃ）新規発生地の隣接地域または被害地域の隣接地域内の針葉樹林
【請求項１０】
前記トラップ間の間隔は、未発生地域または清浄地域内では７０ｍ〜１００ｍであることを特徴とする、請求項９に記載の防除方法。
【請求項１１】
前記トラップ間の間隔は、前記隣接地域内では５０ｍ〜１００ｍであることを特徴とする、請求項９に記載の防除方法。
【請求項１２】
前記発生監視を通じて、地上防除や航空防除のための適期撒布時期を把握・適用してマツ材線虫病を防除することを特徴とする、請求項９に記載の防除方法。
【請求項１３】
前記防除対象地域は、マツ材線虫病の新規発生地または小規模被害地域であり、枯死木または被害地の中心を基準としてトラップを設置し、横５００ｍ〜２ｋｍ、縦５００ｍ〜２ｋｍに設定された区域内に網状に捕獲を目的としてトラップを設置し、前記区域外の１００ｍ〜２００ｍ地点に発生予察を目的として１０個〜１００個のトラップを周囲に設置し、区域内の大量捕獲及び区域外への２次的被害拡散監視を通じてマツ材線虫病を防除することを特徴とする、請求項１〜８のいずれか１項に記載の防除方法。
【請求項１４】
前記トラップ間の間隔は５０ｍ〜１００ｍであり、山林密度または被害度が高いほどトラップ間の間隔を減少させることを特徴とする、請求項１３に記載の防除方法。
【請求項１５】
前記防除対象地域は、マツ材線虫病の大規模被害地域であり、前記被害地域全域に網状に捕獲を目的としてトラップを設置し、マツノマダラカミキリ及びカラフトヒゲナガカミキリの大量捕獲を通じてマツ材線虫病を防除することを特徴とする、請求項１〜８のいずれか１項に記載の防除方法。
【請求項１６】
前記トラップ間の間隔は２０ｍ〜７０ｍであり、山林密度または被害度が高いほどトラップ間の間隔を減少させることを特徴とする、請求項１５に記載の防除方法。
【請求項１７】
他の防除手段を共に適用することを特徴とする、請求項１５に記載の防除方法。
【発明の詳細な説明】
【技術分野】
【０００１】
本発明は、マツ材線虫病の防除に関し、特に、マツノザイセンチュウの媒介虫であるマツノマダラカミキリとカラフトヒゲナガカミキリの発生予察及び大量捕獲を通じたマツ材線虫病の防除方法に関する。
【背景技術】
【０００２】
マツノザイセンチュウ（Ｐｉｎｅ  ｗｏｏｄ  ｎｅｍａｔｏｄｅ、Ｂｕｒｓａｐｈｅｌｅｎｃｈｕｓ  ｘｙｌｏｐｈｉｌｕｓ）は、マツ、クロマツ、ゴヨウマツなどにマツ材線虫病（Ｐｉｎｅ  Ｗｉｌｔ  Ｄｉｓｅａｓｅ：マツ枯れ）を起こす害虫である。マツ材線虫病は、マツのエイズと呼ばれ、マツノザイセンチュウが木に侵入してから発病するようになり、感染した木は、マツノザイセンチュウが侵入してから６日目に葉が垂れ下がり、２０日目に葉が萎みはじめ、３０日後に葉が急速に赤色に変色し、１００％枯死する致命的な病気である（ｈｔｔｐ：／／ｗｗｗ．ｋｆｒｉ．ｇｏ．ｋｒ／国立山林科学院）。
【０００３】
マツノザイセンチュウは、北米大陸の土着種（Ｋｎｏｗｌｅｓ  ｅｔ  ａｌ．，１９８３；Ｄｗｉｎｅｌｌ，１９９３）であり、米国、カナダ、メキシコなどの自生樹種は、ほとんどマツノザイセンチュウに対して抵抗性を有していると知られている一方（Ｋｉｍ  ｅｔ  ａｌ．，２００３）、抵抗性を有していない他の国家の樹種には深刻な被害を与えており、今も被害が広範囲に進行している。
【０００４】
日本では、１９００年代初に被害が確認されて以来、被害が漸次拡散されながら、現在はマツとクロマツがほぼ全滅状態に至っており（Ｍａｍｉｙａ，１９８８；Ｋｉｓｈｉ，１９９５）、中国では、１９８２年に被害が最初に発見されて以来、マツ、クロマツ、バビショウに極甚な被害を与えており、台湾では、１９８５年に被害が最初に発見されて以来、リュウキュウマツ、クロマツ、台湾二葉松などが全滅の危機に置かれていると報告されている（Ｅｎｄａ，１９９７）。
【０００５】
韓国では、１９８８年釜山の金井山で被害が発見されて以来、被害が持続的に拡散し、最大６７の市・郡・区で拡大して発生した後、マツ材線虫病防除特別法の施行及び先制的防除などの努力によって被害地域が４０余の市・郡・区に減少し、被害面積も２００６年の７，８７１ｈａを基点として、２０１０年に３，５４７ｈａとなり、２０１０年まで毎年減少した。しかし、２０１１年に被害面積が再び増加し、２０１２年には５，２８６ｈａを記録した（２０１２年山林病害虫発生予察調査年譜、国立山林科学院）。そして、２０１３年には、発生面積が前年に比べて１１９％増加し、１１，５５０ｈａと調査以来最大となり、発生地域も、全国の１３の市・道、５９の市・郡・区に再び拡大した。既存の発生地域である済州、慶南などの南部地域で被害が多く発生し、京幾の楊平・河南・連川・加平、忠北の忠州、光州広域市で新たに被害が発生した（２０１３年山林病害虫発生予察調査年譜、国立山林科学院）。このように、最近、マツノザイセンチュウの被害面積と発病地域が増加している趨勢であり、発生様相が複雑であり、感染してから枯死までの時間が非常に短いため、問題の深刻性が持続的に増加している。２０１４年６月１２日にソウルの北漢山国立公園内の２本のゴヨウマツでマツ材線虫病が発見され、関係当局は緊張している実情にある。
【０００６】
線虫類は、自体の移動能力が非常に劣る害虫であって、マツノザイセンチュウも木の外側での移動能力が不足しており、媒介虫を通じて各木の間を移動する。利用される媒介虫は、カミキリムシ属昆虫であり、北米ではＭｏｎｏｃｈａｍｕｓ  ｃａｒｏｌｉｎｅｎｓｉｓ，Ｍ．ｍｕｔａｔｏｒ，Ｍ．ｓｃｕｔｅｌｌａｔｕｓ，Ｍ．ｔｉｔｉｌｌａｔｏｒ（Ｌｉｎｉｔ，１９８８）などで、ポルトカルではＭ．ｇａｌｌｏｐｒｏｖｉｎｃｉａｌｉｓ（Ｓｏｕｓａ  ｅｔ  ａｌ．，２００１）で、スペインとスウェーデンではＭ．ｓｕｔｏｒ（Ｐａｊａｒｅｓ  ｅｔ  ａｌ．，２０１３）であると知られている。韓国、日本、中国、台湾では、マツノマダラカミキリ（Ｍｏｎｏｃｈａｍｕｓ  ａｔｅｒｎａｔｕｓ）（Ｍａｍｉｙａ  ａｎｄ  Ｅｎｄａ、１９７２；Ｋｉｓｈｉ，１９９５）が媒介虫であると報告されており、日本の東北地方ではカラフトヒゲナガカミキリ（Ｍｏｎｏｃｈａｍｕｓ  ｓａｌｔｕａｒｉｕｓ）もマツノザイセンチュウを媒介するものと知られている（Ｔａｋｉｚａｗａ  ａｎｄ  Ｓｈｏｊｉ，１９８２）。近来、韓国でも中部地方のマツとゴヨウマツにカラフトヒゲナガカミキリがマツノザイセンチュウを媒介するものと明らかになっており（Ｋｗｏｎ  ｅｔ  ａｌ．，２００６；ＫＦＲＩ，２００７）、特に、ゴヨウマツへの被害が深刻である。マツノザイセンチュウは媒介虫である特定のカミキリムシにくっ付き、カミキリムシが健全な木の樹皮を後食（Ｍａｔｕｒａｔｉｏｎ  ｆｅｅｄｉｎｇ、ａｄｕｌｔ  ｆｅｅｄｉｎｇ、成虫摂食）するときと樹皮を破いて産卵するときに生じる傷を通じて健全な木に移される（Ｗｉｎｇｆｉｅｌｄ  ａｎｄ  Ｂｌａｎｃｈｅｔｔｅ，１９８３；Ｅｄｗａｒｄｓ  ａｎｄ  ｌｉｎｉｔ，１９９２）。
【０００７】
今まで、韓国内でのマツ材線虫病に対しては、寄主木内で棲息しながら移動性がほとんどないマツノザイセンチュウよりも、これらを媒介するマツノマダラカミキリに対して集中的に研究されており、カラフトヒゲナガカミキリも媒介するという事実が明らかになると共に、この種に対する研究も実施されている。現在まで、二種に対する地域的分布（Ｋｗｏｎ  ｅｔ  ａｌ．，２００６）及び時期別羽化脱出特性（Ｋｉｍ  ｅｔ  ａｌ．，２００３；Ｈａｎ  ｅｔ  ａｌ．，２００９）、個体別形態（Ｌｅｅ  ｅｔ  ａｌ．，２００４；Ｈａｎ  ｅｔ  ａｌ．，２００７）、マツ内での分布（Ｃｈｕｎｇ  ｅｔ  ａｌ．，２００３）、マツノザイセンチュウの媒介虫からの移動脱出（Ｋｉｍ  ｅｔ  ａｌ．，２００９）、媒介虫の移動行動と連関したマツ材線虫病被害発生（Ｋｉｍ  ｅｔ  ａｌ．，２０１１）、針葉樹の種類による成長、発育及び生殖（Ｈｗａｎｇ  ｅｔ  ａｌ．，２００８）などの生物的及び生態的基礎研究が行われている。
【０００８】
マツノザイセンチュウの防除方法に対する研究としては、マツ材線虫病の発病機構及び関連要因の基礎生物特性の究明と実際の現場防除法の開発という二つの軸を中心として（ＫＦＲＩ、２００９）、生物的防除方法、化学的防除方法、物理的防除方法などに区分されて研究が推進された。まず、生物的防除方法としては、感染木診断法、天敵利用法、昆虫病原性カビ利用法、抵抗性品種育成などがあり、化学的防除方法としては、媒介虫の生物的及び生態的基礎研究に基づいた羽化時期を狙った化学殺虫剤防除法（地上撒布、航空撒布）、伐採薫蒸法（生物素材薫蒸物質の探索を含む）、材線虫及び媒介虫防除物質の選抜などがあり、物理的防除方法としては、発病木または枯死木を対象とした伐採焼却法、伐採破砕法、地域隔離法（マツ移動監視）（ＫＦＲＩ、２００９）などがある。しかし、多様な部分で多くの人力、時間及び費用が投与されているが、未だにマツノザイセンチュウを防除する根本的な問題解決には接近していない実情にある。
【０００９】
昆虫は、個体間の光、音、臭いなどを用いて情報交換及び意思伝逹を行い、そのうち臭いで意思を伝達する信号物質を通信化合物という。通信化合物は、通信主体によってフェロモン（Ｐｈｅｒｏｍｏｎｅ：同種の昆虫に特異な生理的反応または行動を誘発させる物質）と他感物質（Ａｌｌｅｌｏｃｈｅｍｉｃａｌｓ：他の種間に作用する物質）とに区分される。このうち「フェロモン（Ｐｈｅｒｏｍｏｎｅ）」は、動物の体中で少量作られ、臭いとして大気中に放出され、同種内の他の性または同種内の各個体間の情報伝達を目的として分泌される物質である。各動物個体間の情報伝達を目的とするフェロモンのうち昆虫フェロモンが最も広く研究されており、刺激に対する昆虫の反応（中枢神経系を通じた直接的な行動反応と生殖及び内分泌系の変化）に応じて生理変化フェロモン（Ｐｒｉｍｅｒ  ｐｈｅｒｏｍｏｎｅ）と行動誘起フェロモン（Ｒｅｌｅａｓｅｒ  ｐｈｅｒｏｍｏｎｅ）とに分けられる。また、他感物質は、信号物質を出す側に有利に作用するアロモン（Ａｌｌｏｍｏｎｅ）、受ける側に有利に作用するカイロモン（Ｋａｉｒｏｍｏｎｅ）、そして、送信者と受信者の両側に有利に作用するシノモン（Ｓｙｎｏｍｏｎｅ）に区分される。昆虫フェロモンは、個体間の刺激に対する昆虫の行動反応に応じて性フェロモン（ｓｅｘ  ｐｈｅｒｏｍｏｎｅ）、集合フェロモン（ａｇｇｒｅｇａｔｉｏｎ  ｐｈｅｒｏｍｏｎｅ）、警報フェロモン（ａｌａｒｍ  ｐｈｅｒｏｍｏｎｅ）、道しるべフェロモン（ｔｒａｉｌ  ｐｈｅｒｏｍｏｎｅ）、分散フェロモン（ｅｐｉｄｅｉｃｔｉｃ  ｐｈｅｒｏｍｏｎｅ）、階級分化フェロモン（ｃａｓｔｅ  ｄｉｆｆｅｒｅｎｔｉａｔｉｏｎ  ｐｈｅｒｏｍｏｎｅ）などに相当多くの種類に分けられる（農業生命科学研究院学術叢書９、第１３章．外部化学通信、２００５）。
【００１０】
韓国内において、このような嗅覚誘引物を用いてマツノザイセンチュウを防除しようとする実験としては、マツノマダラカミキリを対象とした実験と、カラフトヒゲナガカミキリを対象とした実験とがある。マツノマダラカミキリを対象とした実験としては、２００２年林業研究院の「マツノザイセンチュウ総合防除技術開発」でベンゼン（ｂｅｎｚｅｎｅ）、α‐ピネン（α‐ｐｉｎｅｎｅ）、テルペンチン（ｔｅｒｐｅｎｔｉｎｅ）、マツ精油などを使用した実験、２００７年釜山発展研究院でα‐ピネンとエタノールの混合物及びＩｐｓ属キクイムシの集合フェロモンと知られているイプセノール（ｉｐｓｅｎｏｌ）とイプスジエノール（ｉｐｓｄｉｅｎｏｌ）を使用した実験、２００４年から２００８年まで研究され、２００９年に報告された国立山林科学院の「マツ材線虫病防除方法研究」において、韓・中共同研究のうち中国で使用されているマツノマダラカミキリ誘引材｛主成分：α‐ピネン（約８６．７％）＋β‐ピネン（約１１．５％）｝を使用した実験などがある。カラフトヒゲナガカミキリを対象とした実験としては、忠北大の植物医学科でイプセノールとイプスジエノールを使用して誘引効果を確認した実験がある（「カラフトヒゲナガカミキリのＩｐｓｅｎｏｌ、Ｉｐｓｄｉｅｎｏｌに対する誘引効果」、２００８年）。また、中国では、２‐（ウンデシルオキシ）‐１‐エタノール、α‐ピネン及びエタノールの組成物を用いてマツノマダラカミキリに対する誘引力を確認した実験がある（Ｔｅａｌｅ，ｅｔ  ａｌ．，２０１１）。
【００１１】
これら各実験は、マツノマダラカミキリとカラフトヒゲナガカミキリに対する誘引可能性を示してはいるが、未だに防除手段としての効果が確認された場合はない。
【先行技術文献】
【特許文献】
【００１２】
【特許文献１】大韓民国特許公開第１０―２００８―００６１３０９号
【特許文献２】大韓民国特許公開第１０―２０１０―０１２０４３０号
【特許文献３】大韓民国特許公開第１０―２０１４―００２５６６５号
【特許文献４】大韓民国特許登録第１０―０７６７７８３号
【非特許文献】
【００１３】
【非特許文献１】Ｓｔｅｐｈｅｎ  Ａ．Ｔｅａｌｅ，Ｊａｃｏｂ  Ｄ．Ｗｉｃｋｈａｍ，Ｆｅｉｐｉｎｇ  Ｚｈａｎｇ，Ｊｕｎ  Ｓｕ，Ｙｉ  Ｃｈｅｎ，Ｗｅｉ  Ｘｉａｏ，Ｌａｗｒｅｎｃｅ  Ｍ．Ｈａｎｋｓ，ａｎｄ  Ｊｏｃｅｌｙｎ  Ｇ．Ｍｉｌｌａｒ．「Ａ  Ｍａｌｅ‐Ｐｒｏｄｕｃｅｄ  Ａｇｇｒｅｇａｔｉｏｎ  Ｐｈｅｒｏｍｏｎｅ  ｏｆ  Ｍｏｎｏｃｈａｍｕｓ  ａｌｔｅｒｎａｔｕｓ（Ｃｏｌｅｏｐｔｅｒａ：Ｃｅｒａｍｂｙｃｉｄａｅ），ａ  Ｍａｊｏｒ  Ｖｅｃｔｏｒ  ｏｆ  Ｐｉｎｅ  Ｗｏｏｄ  Ｎｅｍａｔｏｄｅ．」Ｊ．Ｅｃｏｎ．Ｅｎｔｏｍｏｌ．１０４（５）：１５９２―１５９８（２０１１）。
【発明の概要】
【発明が解決しようとする課題】
【００１４】
前記問題を解決するために、本発明では、誘引用組成物が含まれたトラップシステムを用いて、マツノマダラカミキリとカラフトヒゲナガカミキリの発生予察または大量捕獲を通じたマツ材線虫病の防除方法を提供する。本発明は、マツノマダラカミキリとカラフトヒゲナガカミキリの生理・生態的特性に基づいてそれらの行動習性から導出されたものである。マツノマダラカミキリの飛散範囲は、１年間に枯死木または被害地からほぼ１ｋｍ以内に存在し、被害拡散範囲も２ｋｍ〜３ｋｍ程度と活発な飛散移動性を示さない。このような行動的特性と本発明で確認された本発明のトラップ（誘引用組成物を含む）の誘引及び捕獲能力に基づいて、本発明では、マツノマダラカミキリ及びカラフトヒゲナガカミキリの発生予察及び大量捕獲が可能なトラップシステムとこれを用いたマツ材線虫病の防除方法を提供する。
【課題を解決するための手段】
【００１５】
本発明では、２‐（ウンデシルオキシ）‐１‐エタノール、α‐ピネン及びエタノールを含む誘引用組成物が備えられたトラップを防除対象地域に一定の間隔で網状に設置することを含む、マツノマダラカミキリとカラフトヒゲナガカミキリの発生予察または大量捕獲によるマツ材線虫病の防除方法が提供される。
【００１６】
前記誘引用組成物は、（±）‐３‐カレン、イプセノール、イプスジエノール、ｎ‐ペンタコサン及びｎ‐ノナコサンから選ばれたいずれか一つ以上をさらに含むことができる。
【００１７】
前記誘引用組成物は、高分子素材のパウチに収容され、前記トラップの外部または内部に設置され得る。好ましい実施例において、前記高分子素材のパウチは、内部に綿が充填されたポリエチレン管（ｓｔｒａｗ  ｐｏｌｙｅｔｈｙｌｅｎｅ  ｆｉｌｔｅｒ  ｔｕｂｅ）を含み、前記誘引用組成物中のα‐ピネン及びエタノールは、前記パウチ内に充填され、２‐（ウンデシルオキシ）‐１‐エタノールは前記ポリエチレン管に充填され得る。
【００１８】
好ましくは、前記トラップは、５個〜１０個の漏斗トラップを垂直に連結した連続漏斗トラップ（ｍｕｌｔｉ  ｆｕｎｎｅｌ  ｔｒａｐ）であって、前記トラップの最下端にはマツノマダラカミキリとカラフトヒゲナガカミキリを捕獲する捕獲桶が連結され、最上端には蓋が備えられる。
【００１９】
前記防除対象地域がマツ材線虫病の未発生地域、清浄地域、被害地の隣接地域であるとき、マツノマダラカミキリ及びカラフトヒゲナガカミキリの常時的な発生監視を通じてマツ材線虫病を防除することができる。このとき、前記のような発生監視を通じて、地上防除や航空防除のための適期撒布時期を把握・適用することによってマツ材線虫病を防除することもできる。
【００２０】
また、前記防除対象地域がマツ材線虫病の新規発生地または小規模被害地域であるとき、枯死木または被害地の中心を基準としてトラップを設置し、横５００ｍ〜２ｋｍ、縦５００ｍ〜２ｋｍに設定された区域内に網状に捕獲を目的としてトラップを設置し、前記区域外の１００ｍ〜２００ｍ地点に発生予察を目的として１０個〜１００個のトラップを周囲に設置し、区域内の大量捕獲及び区域外への２次的被害拡散監視を通じてマツ材線虫病を防除することができる。また、前記防除対象地域がマツ材線虫病の大規模被害地域であるとき、前記被害地域全域に網状に捕獲を目的としてトラップを設置し、マツノマダラカミキリ及びカラフトヒゲナガカミキリの大量捕獲を通じてマツ材線虫病を防除することができる。
【００２１】
このとき、前記トラップ間の間隔は、防除地域、森の形態及び被害発生の有無によって適宜選択し、２０ｍ〜１００ｍの範囲であることが好ましく、被害が発生しない地域で被害を予察しようとする場合は７０ｍ〜１００ｍ、被害地域での被害拡散の阻止を目的として使用する場合は５０ｍ〜１００ｍ、山林の密度が高いか、被害度が高い場合は５０ｍ以内に設置することが好ましい。
【発明の効果】
【００２２】
本発明は、活発な飛散移動性を示さないマツノマダラカミキリとカラフトヒゲナガカミキリの生理的、生態的及び行動的特性に基づいて防除地域に網状のトラップシステムを形成することによって、全世代期間のマツノマダラカミキリとカラフトヒゲナガカミキリを持続的及び効果的に誘引・捕獲することができる。よって、本発明は、マツノマダラカミキリとカラフトヒゲナガカミキリによって媒介されるマツノザイセンチュウによる被害を効果的にモニタリングし、被害を事前に予防したり、被害の拡散を防止したりすることに利用することができ、また、既に被害が発生した場合にも大量捕獲を通じた防除方法として利用することができる。
【図面の簡単な説明】
【００２３】
【図１】本発明のトラップシステムの概要を示した図である。
【図２】本発明のトラップシステムの概要を示した図である。
【図３】ＳＰＥＦＴを使用した担体の例を示した図である。
【図４】永川での実験において捕獲桶内に捕獲されたヒゲナガカミキリムシの写真である。
【図５】浦項での実験において捕獲桶内に捕獲されたヒゲナガカミキリムシの写真である。
【図６】慶州での実験において捕獲桶内に捕獲されたヒゲナガカミキリムシの写真である。
【発明を実施するための形態】
【００２４】
以下、本発明を詳細に説明する。
【００２５】
１．誘引用組成物
【００２６】
本発明の誘引用組成物は、２‐（ウンデシルオキシ）‐１‐エタノール｛２‐（Ｕｎｄｅｃｙｌｏｘｙ）‐ｅｔｈａｎｏｌ｝、α‐ピネン（α‐ｐｉｎｅｎｅ）及びエタノールを含む。前記誘引用組成物は、（±）‐３‐カレン｛（±）‐３‐ｃａｒｅｎｅ｝、イプセノール（ｉｐｓｅｎｏｌ）、イプスジエノール（ｉｐｓｄｉｅｎｏｌ）、ｎ‐ペンタコサン（ｎ‐ｐｅｎｔａｃｏｓａｎｅ）、ｎ‐ノナコサン（ｎ‐ｎｏｎａｃｏｓａｎｅ）から選ばれたいずれか一つ以上をさらに含むことができる。
【００２７】
２‐（ウンデシルオキシ）‐１‐エタノールは、カミキリムシ（Ｍｏｎｏｃｈａｍｕｓ）属集合フェロモンであって、Ｍｏｎｏｃｈａｍｏｌとも呼ばれる。２‐（ウンデシルオキシ）‐１‐エタノールは、ヒゲナガカミキリムシの雄が放出する集合フェロモンであって、マツノマダラカミキリとカラフトヒゲナガカミキリの雌と雄の両方に誘引効果を有し、このフェロモンの臭いにより、目標物を探す過程でトラップに捕獲される。
【００２８】
α‐ピネン、（±）‐３‐カレン、イプセノール及びイプスジエノールは、マツノマダラカミキリとカラフトヒゲナガカミキリの性的未成熟個体と性的成熟個体の雌と雄が寄主（マツ類など）の位置を把握できるようにする物質であって、マツノマダラカミキリとカラフトヒゲナガカミキリの性的未成熟及び性的成熟個体の雌と雄の両方に誘引効果を有する。マツノマダラカミキリとカラフトヒゲナガカミキリなどのカミキリムシ類昆虫は、成虫に羽化しても、性的に成熟しないと交尾を行うことができない。成虫になった後、交尾を行えるように性的な成熟期間を経なければならないが、この期間の間、摂食、加害過程（後食）を経て性的に成熟した個体に変わる。このとき、羽化脱出した未成熟個体は、マツ類の新梢を探す方法としてα‐ピネンなどの物質を感知する。
【００２９】
エタノールは、植物がストレス（物理的被害、枯死中または枯死状態）を受けると発散するようになるが、このとき、これを認識した個体が誘引される。特に、性的成熟個体に対して初期から高度で作用し、α‐ピネン、（±）‐３‐カレン、イプセノール及びイプスジエノールの拡散に影響を与え、より多くの個体が認識できるようにする。
【００３０】
ｎ‐ペンタコサンとｎ‐ノナコサンは、表皮炭化水素で雄と雌が互いを探すときに作用し、トラップ内での捕獲の誘導を容易にする。
【００３１】
トラップ当たり２‐（ウンデシルオキシ）‐１‐エタノール１０ｍｇ〜１０００ｍｇ、α‐ピネン１ｇ〜４００ｇ及びエタノール１ｇ〜４００ｇが含まれることが好ましい。追加成分をさらに含む場合、トラップ当たり（±）‐３‐カレンは１ｇ〜４００ｇ、イプセノールは１０ｍｇ〜３，０００ｍｇ、イプスジエノールは１０ｍｇ〜３，０００ｍｇ、ｎ‐ペンタコサンは０．１ｍｇ〜１０ｍｇ、ｎ‐ノナコサンは０．１ｍｇ〜１０ｍｇの範囲で含まれることが好ましい。
【００３２】
本発明において、誘引用組成物はトラップに備えられるが、ここで、「備えられる」ことは、誘引用組成物がトラップの内部またはトラップの外部に隣接して備えられることのみを意味するのではない。本発明の誘引用組成物は、本発明のトラップと一定間隔で離隔して設置されてもよく、複数のトラップ当たりに一つの誘引用組成物がトラップの外部に設置されてもよく、一つのトラップ当たりに複数の誘引用組成物がトラップの外部に設置されてもよい。本発明において、「誘引用組成物が備えられたトラップ」は、これらの場合を全て含むものを意味する。
【００３３】
２．担体
【００３４】
前記誘引用組成物は、一定の担体に充填されてトラップに備えられることが好ましい。前記誘引用組成物を充填するための担体として、高分子素材のパウチ（ｐｏｕｃｈ）やバッグ（ｂａｇ）を使用することが好ましい。以下、本発明において、「パウチ」は、形態とは関係なく、内部に物体を収納した後で密封形態を維持するものであれば全て含むものを意味する。前記高分子素材は、低密度ポリエチレン（ｌｏｗ  ｄｅｎｓｉｔｙ  ｐｏｌｙｅｔｈｙｌｅｎｅ：ＬＤＰＦ）、高密度ポリエチレン（ｈｉｇｈ  ｄｅｎｓｉｔｙ  ｐｏｌｙｅｔｈｙｌｅｎｅ：ＨＤＰＥ）、及び熱可塑性ポリウレタン（ｔｈｅｒｍｏｐｌａｓｔｉｃ  ｐｏｌｙｕｒｅｔｈａｎｅ：ＴＰＵ）のうちいずれか一つを使用することが好ましい。このとき、放出速度はＨＤＰＥ＞ＬＤＰＥ＞ＴＰＵの順であり、環境と日／時によって放出量を調節できるように適切な担体を選択して使用する。
【００３５】
また、誘引用組成物の放出速度を調節するために、担体は、前記高分子素材のパウチ内に綿が充填されたＰＥ管（ｓｔｒａｗ  ｐｏｌｙｅｔｈｙｌｅｎｅ  ｆｉｌｔｅｒ  ｔｕｂｅ：ＳＰＥＦＴ）をさらに含むことがより好ましい。ＳＰＥＦＴを使用する場合、特に好ましい実施例として、フェロモンである２‐（ウンデシルオキシ）‐１‐エタノールはＳＰＥＦＴに充填し、他の成分は外部担体であるパウチ内に充填することができる。このような形態の担体を使用すると、誘引組成物をより長期間安定的に放出することができる。ＳＰＥＦＴを使用した担体の一例を図３に示した。図３において、担体は、ＴＰＵ材質のパウチ１０であり、内部には圧縮綿が充填されたＰＥ管２０が入っている。
【００３６】
このように誘引用組成物が収容された担体は、トラップの内部や外部に設置されてもよく、外部の場合、トラップと隣接した外部はもちろん、トラップと一定間隔で離隔した外部に設置されてもよく、複数のトラップ当たりに一つを一定間隔で離隔した位置に設置してもよい。
【００３７】
３．トラップ
【００３８】
本発明において、トラップとしては、５個〜１０個の漏斗トラップを垂直に連結した連続漏斗トラップ（ｍｕｌｔｉ  ｆｕｎｎｅｌ  ｔｒａｐ：ｌｉｎｄｇｒｅｎ  ｔｒａｐ）を使用することが好ましい。各漏斗トラップの上部直径は２０ｃｍ〜３０ｃｍで、下部直径は７ｃｍ〜１４ｃｍ程度であることが好ましい。通常、漏斗トラップの上部直径が１５ｃｍである１２連続漏斗トラップ（ｌｉｎｄｇｒｅｎ  ｔｒａｐ）に比べて、上部直径を２倍程度に広げて目標害虫の流入と捕獲を容易にすると共に、トラップの個数を減少させ、木の形状は維持しながら不要な昆虫の流入を防止し、目標とするマツノマダラカミキリとカラフトヒゲナガカミキリのみを捕獲できるようにする。
【００３９】
トラップの最上端には蓋が連結されており、蓋の直径は３０ｃｍ〜４０ｃｍであることが好ましい。トラップの下端の最後部には、マツノマダラカミキリとカラフトヒゲナガカミキリを捕獲する捕獲桶が連結され得る。好ましい実施例として、捕獲桶の長さは２５ｃｍ〜３５ｃｍで、直径は１０ｃｍ〜１５ｃｍであり、長さが２５ｃｍ〜３５ｃｍで、直径が１２±３ｃｍ程度であることが特に好ましい。捕獲桶の内部には、脱出防止用漏斗が備えられることが好ましい。脱出防止用漏斗は、カミキリムシの行動習性を考慮して、壁面と漏斗との角度が４５度以下、漏斗の長さが６ｃｍ以上であることが好ましい。水抜き穴がある単純な構造からなる１２漏斗トラップの捕獲桶とは異なり、本発明の捕獲桶は、内部に脱出防止用漏斗を装着し、安定的な捕獲状態を維持できるようにした。
【００４０】
また、トラップの設置方法においても、通常使用される１２漏斗トラップは、地上に据え置き台を設置し、据え置き台にぶら下げる方法で設置されるので、高さ調節が不可能であり、設置時に地形の影響を受ける一方、本発明では、ロープを用いてトラップを木に直接ぶら下げる方法で設置するので、高さ調節が流動的であり、設置時に地形の影響を受けない。
【００４１】
誘引用組成物が充填された本発明の担体は、前記トラップの外部にぶら下げて設置することが好ましい。このとき、担体は、前記トラップの５個〜１０個の漏斗のうちいずれの位置にもぶら下げることができ、一方向及び四方の全てに適した個数の担体を設置することができる。このとき、一つのトラップ（５個〜１０個の漏斗を含む）当たりに１個〜４個の担体を設置することがより好ましい。
【００４２】
４．発生予察及び防除方法
【００４３】
マツノマダラカミキリの飛散範囲は、１年間、枯死木または被害地からほぼ１ｋｍ以内に存在し、被害拡散範囲も２ｋｍ〜３ｋｍ程度と活発な飛散移動性を示さない（国立山林科学院の山林病害虫研究課）。カラフトヒゲナガカミキリも、近距離の飛翔後の歩行を通じて寄主植物を探す行動をするが（マツノザイセンチュウ媒介虫の生態特性及び天敵利用研究、国立山林科学院）、このような行動から見て、活発な飛散移動性はないと考慮される。山林の木による鬱閉率（日差し阻止率）もカミキリムシの移動に影響を与えるが、鬱閉率と移動性は反比例の関係を有している。
【００４４】
本発明では、このようなマツノマダラカミキリ及びカラフトヒゲナガカミキリの生理的、生態的及び行動的特性に基づいて前記のような誘引性組成物、担体及びトラップを有して網状のトラップシステムを形成した。本発明のトラップシステムの概要を図１及び図２に示した。本発明のトラップ１００は、防除対象地域に一定の間隔Ａで網状に設置されるが、図１及び図２のように、四方が同一な等間隔Ａでトラップが設置されることが特に好ましい。
【００４５】
本発明のトラップシステムは、防除地域に誘引物質を含有したトラップ１００を一定の間隔Ａで網状に設置し、誘引用組成物に誘引されたマツノマダラカミキリとカラフトヒゲナガカミキリがトラップに入ってくるようにする。トラップ間の間隔Ａは、防除地域、森の形態及び被害発生の有無によって適宜選択し、２０ｍ〜１００ｍであることが好ましい。また、トラップ間の間隔Ａは、被害が発生しない地域での被害を予察しようとする場合は７０ｍ〜１００ｍであることが好ましく、被害地域での被害拡散の阻止を目的として使用する場合は５０ｍ〜１００ｍであることが好ましく、山林の密度が高いか、被害度が高い場合は５０ｍ以内に設置することが好ましい。図２において、赤色で示したものがトラップであり、トラップから誘引物質が拡散され、防除地域で網効果を得ることができる。誘引用組成物により、全世代期間のマツノマダラカミキリとカラフトヒゲナガカミキリを捕獲することができる。
【００４６】
本発明のトラップシステムは、状況に応じて発生予察（Ｍｏｎｉｔｏｒｉｎｇ）と大量捕獲（Ｍａｓｓ‐ｔｒａｐｐｉｎｇ）をそれぞれまたは同時に使用してマツ材線虫病を防除することができる。
【００４７】
発生予察の場合、下記の３つの状況でマツノマダラカミキリ及びカラフトヒゲナガカミキリの常時的な発生監視を通じてマツ材線虫病を防除することができる。
【００４８】
（１）マツの材線虫による被害が発生していない未発生地域の針葉樹林にトラップを設置し、被害の発生を監視する。
【００４９】
（２）マツ材線虫病が発生したことがあるが、現在は完全に退治された清浄地域の針葉樹林にトラップを設置し、再発生に対する監視手段として使用する。
【００５０】
（３）新規発生地や被害地域と隣接した地域の針葉樹林にトラップを設置し、拡散に対する監視手段として使用する。
【００５１】
前記針葉樹林は、特に、マツ林、ゴヨウマツ林、クロマツ林などを含む。
【００５２】
また、前記のような発生予察を通じて、地上防除や航空防除のための適期撒布時期を把握して防除に利用することができる。
【００５３】
大量捕獲の場合、下記の二つの状況で戦略的に使用することができる。
【００５４】
（１）マツ材線虫病の新規発生地や小規模被害地域での被害拡散の阻止を目的として使用する。このとき、枯死木または被害地の中心を基準としてトラップを設置し、横５００ｍ〜２ｋｍ、縦５００ｍ〜２ｋｍに設定された区域内に網状に捕獲を目的としてトラップを設置し、前記区域外の１００ｍ〜２００ｍ地点に発生予察を目的として１０個〜１００個のトラップを周囲に設置し、区域内の大量捕獲及び区域外への２次的被害拡散監視を通じてマツ材線虫病を防除する。このとき、枯死木または被害地の中心を基準として横１ｋｍ及び縦１ｋｍの区域に５０ｍ〜１００ｍの間隔でトラップを設置し、１ｋｍ外の１５０ｍ地点に１６個〜２０個の発生予察トラップを周囲に設置することがさらに好ましい。
【００５５】
前記の「小規模被害地域」は、一定地域内でも被害が一部に限定して局所的に表れたことを意味し、被害地域自体の防除よりも、被害の２次的拡散遮断がさらに重要な場合を意味する。
【００５６】
（２）マツ材線虫病が既に発生した大規模被害地域に直接的な防除手段として使用する。このときは、トラップを全方位的に設置し、トラップの地点からのフェロモン臭いの拡散によってフェロモン‐網システムを構築し、マツノマダラカミキリとカラフトヒゲナガカミキリを大量捕獲することによる直接的な防除を通じて問題を解決する方法である。トラップの設置方法は、山林の樹種の構成とサイズ、地理的位置、地形の状態、その他の環境的要因によって流動的に適用することができる。一般に、トラップ間の間隔は２０ｍ〜１００ｍであり、山林密度または被害度が高いほど前記トラップ間の間隔を減少させることが好ましい。基本的には、山林の密度が高いか、被害度が高い場合、トラップの間隔を５０ｍ以内に設置し、範囲は状況に応じて判断する。密度と被害度が深刻な水準でない場合は、（１）番の方法によってトラップを設置するが、範囲は状況に応じて判断する。
【００５７】
このとき、他の防除手段を同時に適用することによって相乗効果をもたらし得る。他の防除手段は、生物的防除方法、化学的防除方法、物理的防除方法などと多様であり、公知の防除方法であれば全て含ませることができ、特に化学殺虫剤防除法（地上撒布、航空撒布）を含ませることができる。
【００５８】
以下、実験例を通じて本発明をより詳細に説明する。下記の各実験例は、本発明を例示したものであって、本発明の範囲がこれに限定されることはない。
【００５９】
［実験例１］
【００６０】
慶尚北道の永川で枯死中であるか、枯死木があるマツ群集場所を選定し、２０１４年３月２９日にトラップを設置して５月３日まで調査した。このとき、２個のトラップを使用した。
【００６１】
トラップとしては６連続漏斗トラップを使用し、担体としてはヒゲナガカミキリムシ属集合フェロモンの分子的特性、放出速度及び安定性を考慮して、外部はＴＰＵ材質を使用し、内部にＰＥ管を入れた。集合フェロモンはＰＥ管に充填し、α−ピネンとエタノールはＴＰＵ材質に直接入れた。誘引用組成物としては、２‐（ウンデシルオキシ）‐１‐エタノール５０ｍｇ、α‐ピネン２０ｍｌ及びエタノール２０ｍｌからなる組成物を使用した。
【００６２】
その結果を下記の表１に示し、捕獲桶内に捕獲されたヒゲナガカミキリムシの写真を図４に示した。
【００６３】
【表１】
2016531592.tif 000003
【００６４】
［実験例２］
【００６５】
慶尚北道の浦項で枯死中であるか、枯死木があるマツ群集場所を選定し、５月２５日にトラップを設置して６月８日まで調査した。このとき、合計１０個のトラップを使用した。
【００６６】
使用されたトラップと担体は、前記実験例１と同一であった。誘引用組成物としては、５個のトラップには２‐（ウンデシルオキシ）‐１‐エタノール１００ｍｇ、α‐ピネン４０ｍｌ及びエタノール４０ｍｌからなる組成物を使用し、残りの５個のトラップには２‐（ウンデシルオキシ）‐１‐エタノール２００ｍｇ、α‐ピネン８０ｍｌ及びエタノール８０ｍｌからなる組成物を使用し、前記実験例１での実験に比べて２倍及び４倍多い量の組成物を担持した。
【００６７】
その結果を下記の表２に示し、捕獲桶内に捕獲されたヒゲナガカミキリムシの写真を図５に示した。
【００６８】
【表２】
2016531592.tif 000004
【００６９】
［実験例３］
【００７０】
慶尚北道の慶州で枯死木があるマツ群集場所を選定し、６月２６日にトラップを設置し、継続して調査を実施している。このとき、合計６個のトラップを使用した。
【００７１】
使用されたトラップと担体は、前記実験例１と同一であった。誘引用組成物としては、１番及び２番のトラップには２‐（ウンデシルオキシ）‐１‐エタノール１０ｍｇ、α‐ピネン５ｍｌ及びエタノール５ｍｌからなる組成物を使用し、３番及び４番のトラップには２‐（ウンデシルオキシ）‐１‐エタノール１００ｍｇ、α‐ピネン２５ｍｌ及びエタノール２５ｍｌからなる組成物を使用し、５番及び６番のトラップには２‐（ウンデシルオキシ）‐１‐エタノール１０００ｍｇ、α‐ピネン２５０ｍｌ及びエタノール２５０ｍｌからなる組成物を使用した。
【００７２】
その結果を下記の表３に示し、捕獲桶内に捕獲されたヒゲナガカミキリムシの写真を図６に示した。
【００７３】
【表３】
2016531592.tif 000005
【００７４】
前記３地域での実験結果、全ての実験において、マツノマダラカミキリ及びカラフトヒゲナガカミキリが自然環境で実際に誘引・捕獲されたことを確認することができた。設置されたトラップには、地形的、位置的、環境的差によって捕獲が行われたトラップとそうでないトラップがあったが、誘引物含量の差による捕獲有無の差はなかった。
【図１】
2016531592.tif 000006
【図２】
2016531592.tif 000007
【図３】
2016531592.tif 000008
【図４】
2016531592.tif 000009
【図５】
2016531592.tif 000010
【図６】
2016531592.tif 000011
【国際調査報告】
2016531592.tif 000012
2016531592.tif 000013
2016531592.tif 000014
2016531592.tif 000015